(57)【要約】【課題】給電タップおよびそのコンセント口とコンセント口に接続された電気機器との対応関係を自動で登録することができる機器登録装置および機器登録方法を提供する。【解決手段】制御サーバ装置１００は、電気機器２００を特定の状態に遷移させるとともに、給電タップ３００からコンセント口ごとの電力情報を受信し、電気機器２００を特定の状態に遷移させた際の電力変化を示す電力情報が１つのみ含まれている場合に、状態遷移させた電気機器２００が、その電力情報に対応する給電タップ３００のコンセント口に接続されていると判定する。そして、その電気機器２００を識別する機器ＩＤに、給電タップ３００を識別するタップＩＤおよびコンセント口を識別するコンセント情報を対応付けて、機器登録テーブルに登録する。【選択図】図２
2015029248.tif 000002
【特許請求の範囲】
【請求項１】
電気機器が接続されるコンセント口ごとに該コンセント口から前記電気機器に供給される電力を計測する給電タップおよび前記電気機器と通信する機器登録装置であって、
前記電気機器を特定の状態に遷移させるための状態遷移指令を前記電気機器に送信する送信部と、
前記給電タップから、該給電タップを識別するタップ識別情報と、コンセント口ごとに計測された電力を示す電力情報と、該電力情報に対応するコンセント口を識別するコンセント識別情報と、を受信する受信部と、
前記状態遷移指令を送信してから所定時間の間に前記給電タップから受信したコンセント口ごとの前記電力情報に、前記電気機器が前記特定の状態に遷移した際の電力変化を示す前記電力情報が１つだけ含まれている場合に、該電力情報に対応するコンセント口に前記電気機器が接続されていると判定する判定部と、
前記電気機器が接続されていると判定されたコンセント口のコンセント識別情報と、該コンセント識別情報とともに受信した前記タップ識別情報とを、前記電気機器を識別する機器識別情報と対応付けて記憶手段に記憶させる対応付け部と、を備えた機器登録装置。
【請求項２】
前記送信部は、前記電気機器が接続されているコンセント口が一意に判定されない場合に、前記状態遷移指令を再度送信する、請求項１記載の機器登録装置。
【請求項３】
前記送信部は、前記状態遷移指令に前記機器識別情報を付加してブロードキャストし、
前記電気機器は、前記状態遷移指令に付加された前記機器識別情報が自機を示すものである場合、前記状態遷移指令に従って前記特定の状態に遷移する、請求項１または２に記載の機器登録装置。
【請求項４】
前記送信部は、さらに、前記電気機器に機器情報を送信させるための機器情報要求指令を前記電気機器に送信し、
前記受信部は、さらに、前記機器情報要求指令に応じて前記電気機器から送信された前記機器情報を受信し、
前記対応付け部は、さらに、前記電気機器から受信した前記機器情報を前記機器識別情報と対応付けて前記記憶手段に記憶させる請求項１〜３のいずれか一項に記載の機器登録装置。
【請求項５】
前記送信部は、前記機器情報要求指令に前記機器識別情報を付加してブロードキャストし、
前記電気機器は、前記機器情報要求指令に付加された前記機器識別情報が自機を示すものである場合、前記機器情報要求指令に従って前記機器情報を送信する、請求項４に記載の機器登録装置。
【請求項６】
前記機器識別情報は、前記電気機器から予め取得されて前記記憶手段に格納されている、請求項１〜５のいずれか一項に記載の機器登録装置。
【請求項７】
前記状態遷移指令を示すコード情報が、前記電気機器から予め取得されて前記記憶手段に格納されており、
前記送信手段は、前記状態遷移指令として前記コード情報を前記電気機器に送信し、
前記電気機器は、前記コード情報を受信して前記特定の状態に遷移する、請求項１〜６のいずれか一項に記載の機器登録装置。
【請求項８】
電気機器が接続されるコンセント口ごとに該コンセント口から前記電気機器に供給される電力を計測する給電タップおよび前記電気機器と通信する機器登録装置において実行される機器登録方法であって、
前記電気機器を特定の状態に遷移させるための状態遷移指令を前記電気機器に送信するステップと、
前記給電タップから、該給電タップを識別するタップ識別情報と、コンセント口ごとに計測された電力を示す電力情報と、該電力情報に対応するコンセント口を識別するコンセント識別情報と、を受信するステップと、
前記状態遷移指令を送信してから所定時間の間に前記給電タップから受信したコンセント口ごとの前記電力情報に、前記電気機器が前記特定の状態に遷移した際の電力変化を示す前記電力情報が１つだけ含まれている場合に、該電力情報に対応するコンセント口に前記電気機器が接続されていると判定するステップと、
前記電気機器が接続されていると判定されたコンセント口のコンセント識別情報と、該コンセント識別情報とともに受信した前記タップ識別情報とを、前記電気機器を識別する機器識別情報と対応付けて記憶手段に記憶させるステップと、を含む機器登録方法。
【発明の詳細な説明】
【技術分野】
【０００１】
本発明は、機器登録装置および機器登録方法に関する。
【背景技術】
【０００２】
電気機器が接続されるコンセント口ごとに該コンセント口から電気機器に供給される電力を計測して、それぞれの電力情報をサーバへ無線で送信する給電タップ（スマートタップ）が知られている。サーバは、給電タップから受信した電力情報に基づいて、給電タップのコンセント口ごとの消費電力を把握することができる。したがって、給電タップの各コンセント口にどのような電気機器が接続しているのかをサーバに登録しておけば、どの電気機器がどれだけの電力を消費しているかの内訳を知ることができる。
【０００３】
給電タップの各コンセント口にどのような電気機器が接続されているのかをサーバに登録するため、従来は、各コンセント口に接続された電気機器の名称等を人手で入力していた。このため、登録作業が煩雑であり、特に、オフィスのように登録が必要な給電タップが多数存在する場合や、引越し等で給電タップに接続される電気機器の接続構成が変更した場合等においては、多大な労力が発生するという問題点があった。
【０００４】
給電タップに接続された電気機器を自動で判別する方法としては、例えば特許文献１に記載されているように、給電タップ（電源タップ）から電気機器に供給される電力波形の特徴データから、電気機器の種別や動作内容を判別する方法が知られている。この特許文献１に記載されたシステムでは、センササーバが、給電タップから送信された特徴データに基いて給電タップに接続された電気機器の種別および動作内容を判別し、その判別結果に時刻情報を付与して、電気機器の使用者の行動情報として記憶部に蓄積している。
【発明の概要】
【発明が解決しようとする課題】
【０００５】
しかし、特許文献１に記載されたシステムにおいては、給電タップに接続された電気機器の種別や動作内容を判別できるが、給電タップのどのコンセント口にどの電気機器が接続されているかまでは把握できない。
【０００６】
本発明は、上記に鑑みてなされたものであって、給電タップおよびそのコンセント口とコンセント口に接続された電気機器との対応関係を自動で登録することができる機器登録装置および機器登録方法を提供することを目的とする。
【課題を解決するための手段】
【０００７】
上述した課題を解決し、目的を達成するために、本発明に係る機器登録装置は、電気機器が接続されるコンセント口ごとに該コンセント口から前記電気機器に供給される電力を計測する給電タップおよび前記電気機器と通信する機器登録装置であって、前記電気機器を特定の状態に遷移させるための状態遷移指令を前記電気機器に送信する送信部と、前記給電タップから、該給電タップを識別するタップ識別情報と、コンセント口ごとに計測された電力を示す電力情報と、該電力情報に対応するコンセント口を識別するコンセント識別情報と、を受信する受信部と、前記状態遷移指令を送信してから所定時間の間に前記給電タップから受信したコンセント口ごとの前記電力情報に、前記電気機器が前記特定の状態に遷移した際の電力変化を示す前記電力情報が１つだけ含まれている場合に、該電力情報に対応するコンセント口に前記電気機器が接続されていると判定する判定部と、前記電気機器が接続されていると判定されたコンセント口のコンセント識別情報と、該コンセント識別情報とともに受信した前記タップ識別情報とを、前記電気機器を識別する機器識別情報と対応付けて記憶手段に記憶させる対応付け部と、を備えたことを特徴とする。
【０００８】
また、本発明に係る機器登録方法は、電気機器が接続されるコンセント口ごとに該コンセント口から前記電気機器に供給される電力を計測する給電タップおよび前記電気機器と通信する機器登録装置において実行される機器登録方法であって、前記電気機器を特定の状態に遷移させるための状態遷移指令を前記電気機器に送信するステップと、前記給電タップから、該給電タップを識別するタップ識別情報と、コンセント口ごとに計測された電力を示す電力情報と、該電力情報に対応するコンセント口を識別するコンセント識別情報と、を受信するステップと、前記状態遷移指令を送信してから所定時間の間に前記給電タップから受信したコンセント口ごとの前記電力情報に、前記電気機器が前記特定の状態に遷移した際の電力変化を示す前記電力情報が１つだけ含まれている場合に、該電力情報に対応するコンセント口に前記電気機器が接続されていると判定するステップと、前記電気機器が接続されていると判定されたコンセント口のコンセント識別情報と、該コンセント識別情報とともに受信した前記タップ識別情報とを、前記電気機器を識別する機器識別情報と対応付けて記憶手段に記憶させるステップと、を含むことを特徴とする。
【発明の効果】
【０００９】
本発明によれば、給電タップおよびそのコンセント口とコンセント口に接続された電気機器との対応関係を自動で登録することができる。
【図面の簡単な説明】
【００１０】
【図１】図１は、実施の形態の機器登録システムの全体構成の一例を示す図である。
【図２】図２は、実施の形態の制御サーバ装置の構成の一例を示すブロック図である。
【図３】図３は、実施の形態の電気機器の構成の一例を示すブロック図である。
【図４】図４は、実施の形態の給電タップの外観図である。
【図５】図５は、実施の形態の給電タップの機能的構成の一例を示すブロック図である。
【図６−１】図６−１は、実施の形態の制御サーバ装置による機器情報登録動作の一例を示すフローチャートである。
【図６−２】図６−２は、実施の形態の制御サーバ装置による電気機器と給電タップのコンセント口との対応付け動作の一例を示すフローチャートである。
【図７】図７は、実施の形態の電気機器の動作の一例を示すフローチャートである。
【図８】図８は、実施の形態の制御サーバ装置に記憶された機器登録テーブルの構成の一例を示す図である。
【発明を実施するための形態】
【００１１】
以下に、図面を参照しながら、本発明に係る機器登録装置および機器登録方法の実施の形態を詳細に説明する。なお、以下の実施の形態によって本発明が限定されるものではなく、以下の実施の形態における構成要素には、当業者が容易に想到できるもの、実質的に同一のもの、およびいわゆる均等の範囲のものが含まれる。さらに、以下の実施の形態の要旨を逸脱しない範囲で構成要素の種々の省略、置換および変更を行うことができる。
【００１２】
（実施の形態）
＜機器登録システムの全体構成＞
図１は、本実施の形態の機器登録システム１の全体構成の一例を示す図である。図１を参照しながら、本実施の形態の機器登録システム１の構成について説明する。
【００１３】
図１に示すように、本実施の形態の機器登録システム１は、機器登録装置である制御サーバ装置１００と、電気機器２００と、給電タップ３００と、を備えている。制御サーバ装置１００と電気機器２００とは、例えば、Ｗｉ−Ｆｉ（登録商標）（ＷｉｒｅｌｅｓｓＦｉｄｅｌｉｔｙ）等の無線通信方式によって互いに情報を通信する。また、制御サーバ装置１００と給電タップ３００とは、例えば、Ｗｉ−Ｆｉ等の無線通信方式によって互いに情報を通信する。電気機器２００は、給電タップ３００から電力の供給を受ける。具体的には、電気機器２００は、電源プラグ２１０が給電タップ３００に形成されたコンセント口（後述の図４に示すコンセント口３０１ａ〜３０１ｄ）に差し込まれることによって、電源プラグ２１０およびコード２１１を介して、電力の供給を受ける。
【００１４】
なお、図１では、１つの電気機器２００と１つの給電タップ３００を図示しているが、機器登録システム１に含まれる給電タップ３００の数、および１つの給電タップ３００に対して接続される電気機器２００の数は任意である。本実施の形態の機器登録システム１は、例えばオフィスで使用される電気機器２００の自動登録を想定しており、実際には多数の給電タップ３００および多数の電気機器２００が含まれる。
【００１５】
また、制御サーバ装置１００と電気機器２００との通信、および制御サーバ装置１００と給電タップ３００との通信は、Ｗｉ−Ｆｉに限定されるものではない。例えば、その他の無線通信方式を利用してもよく、またはＥｔｈｅｒｎｅｔ（登録商標）ケーブルを用いた通信もしくはＰＬＣ（Ｐｏｗｅｒ  Ｌｉｎｅ  Ｃｏｍｍｕｎｉｃａｔｉｏｎ）等の有線通信方式を利用してもよい。
【００１６】
＜制御サーバ装置の構成＞
図２は、本実施の形態の制御サーバ装置１００の構成の一例を示すブロック図である。図２を参照しながら、本実施の形態の制御サーバ装置１００のブロック構成について説明する。
【００１７】
図２に示すように、制御サーバ装置１００は、記憶部１０１と、第１通信部１０２と、第２通信部１０３と、通信制御部１０４と、判定部１０５と、対応付け部１０６と、スイッチ制御部１０７と、入力装置１０８と、を備えている。
【００１８】
記憶部１０１は、後述する機器登録テーブルＴａ等の機器登録動作に必要な情報を記憶している。記憶部１０１は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、光ディスク、またはＭＯ（Ｍａｇｎｅｔｏ−Ｏｐｔｉｃａｌ  Ｄｉｓｋ：光磁気ディスク）等の記憶装置によって実現される。
【００１９】
第１通信部１０２は、機器登録システム１に含まれる各電気機器２００との間での通信を実行する。具体的には、第１通信部１０２は、電気機器２００に対して、電気機器２００に機器情報を送信させるための機器情報要求指令を送信する。そして、第１通信部１０２は、この機器情報要求指令に応じて電気機器２００から送信された機器情報を受信する。第１通信部１０２が電気機器２００から受信した機器情報は、通信制御部１０４により対応付け部１０３に渡される。機器情報は、電気機器２００の種別を表す例えば機器名称等の情報であり、電気機器２００の後述する記憶部２０１に記憶されている。
【００２０】
また、第１通信部１０２は、電気機器２００に対して、電気機器２００を特定の状態に遷移させるための状態遷移指令を送信する。ここで、特定の状態への遷移とは、例えば、スリープ状態からウェイクアップ状態への遷移、ウェイクアップ状態からスリープ状態への遷移、電源オン状態（ウェイクアップ状態あるいはスリープ状態）から電源オフ状態（シャットダウン状態）への遷移、あるいは電源オフ状態から電源オン状態への遷移等である。本実施の形態では、想定される電気機器２００の種別に応じて、電気機器２００をどのような状態に遷移させるかが予め定められているものとする。
【００２１】
第２通信部１０３は、機器登録システム１に含まれる各給電タップ３００との間での通信を実行する。具体的には、第２通信部１０３は、給電タップ３００から、予め定められた時間間隔で定期的に、給電タップ３００を識別するタップＩＤと、給電タップ３００のコンセント口ごとに計測された電力を示す電力情報と、それぞれの電力情報に対応するコンセント口を識別するコンセント情報（各コンセント口に割り振られた番号等）とを受信する。第２通信部１０３が給電タップ３００から受信したタップＩＤ、電力情報およびコンセント情報は、通信制御部１０４により判定部１０５等に渡される。なお、給電タップ３００からのタップＩＤ、電力情報およびコンセント情報の受信は、不定期に行われるように構成してもよい。この場合、第２通信部１０３は、例えば、制御サーバ装置１００内で発生する何らかのトリガにより、機器登録システム１に含まれる各給電タップ３００に対して電力情報の送信を要求し、この要求に応じて各給電タップ３００から送信されるタップＩＤ、電力情報およびコンセント情報を受信する。
【００２２】
また、第２通信部１０３は、給電タップ３００に対して、必要に応じて、給電タップ３００のスイッチ（図５で後述する第１スイッチ３２０ａ〜３２０ｄ）のＯＮ／ＯＦＦ動作を制御する制御信号を送信する。
【００２３】
通信制御部１０４は、第１通信部１０２を介しての電気機器２００との情報の通信、及び第２通信部１０３を介しての給電タップ３００との情報の通信の制御を行う。
【００２４】
判定部１０５は、第２通信部１０３が給電タップ３００から受信した電気機器２００の電力情報に基づいて、第１通信部１０２が状態遷移指令を送信した送信先の電気機器２００が、機器登録システム１に含まれる各給電タップ３００のうち、どの給電タップ３００のどのコンセント口に接続されているかを判定する。具体的には、判定部１０５は、第１通信部１０２が電気機器２００に対して状態遷移指令を送信してから所定時間の間に第２通信部１０３が受信したコンセント口ごとの電力情報に、電気機器２００が特定の状態に遷移した際の電力変化を示す電力情報が１つだけ含まれている場合に、その電力情報に対応するコンセント口に、状態遷移指令の送信先の電気機器２００が接続されていると判定する。電気機器２００が特定の状態に遷移した際の電力変化は、上述した状態遷移のパターンごとに事前に予測することが可能である。したがって、例えば電力値に対する閾値判定のルールなどを予め定めておくことで、給電タップ３００から受信した電力情報が、電気機器２００が特定の状態に遷移した際の電力変化を示しているかどうかを判断できる。
【００２５】
対応付け部１０６は、状態遷移指令の送信先の電気機器２００がどの給電タップ３００のどのコンセント口に接続されているかが判定部１０５によって一意に特定された場合に、後述する機器登録テーブルＴａに予め格納されている電気機器２００を識別する機器ＩＤのうち、状態遷移指令の送信先の電気機器２００の機器ＩＤと、この電気機器２００が接続されていると判定されたコンセント口のコンセント情報および給電タップ３００のタップＩＤとを対応付けて、機器登録テーブルＴａに登録する。
【００２６】
なお、状態遷移指令の送信先の電気機器２００がどの給電タップ３００のどのコンセント口に接続されているかが判定部１０５によって一意に特定されない場合は、その後、任意のタイミングで、第１通信部１０２による電気機器２００に対する状態遷移指令の送信が再度行われる。すなわち、第１通信部１０２が電気機器２００に対して状態遷移指令を送信してから所定時間の間に第２通信部１０３が受信したコンセント口ごとの電力情報に、電気機器２００が特定の状態に遷移した際の電力変化を示す電力情報が含まれていない場合や、電気機器２００が特定の状態に遷移した際の電力変化を示す電力情報が含まれてい場合は、判定部１０５は、状態遷移指令の送信先の電気機器２００がどの給電タップ３００のどのコンセント口に接続されているかを一意に特定できない。この場合、第１通信部１０２が電気機器２００に対して状態遷移指令を再度送信し、判定部１０５による上述した処理が繰り返される。
【００２７】
また、対応付け部１０６は、第１通信部１０２が機器情報要求指令に応じて電気機器２００から送信された機器情報（機器名称等）を受信すると、この機器情報を、後述する機器登録テーブルＴａに予め格納されている電気機器２００を識別する機器ＩＤのうち、機器情報要求指令の送信先の電気機器２００の機器ＩＤと対応付けて、機器登録テーブルＴａに登録する。
【００２８】
スイッチ制御部１０７は、給電タップ３００のコンセント口に接続された電気機器２００に対する電力供給の開始や遮断を遠隔制御するために、給電タップ３００のスイッチのＯＮ／ＯＦＦ動作を制御する制御信号を生成して、通信制御部１０４および第２通信部１０３を介して給電タップ３００に送信する。
【００２９】
入力装置１０８は、ユーザが制御サーバ装置１００に対して各種の情報を入力するための装置である。入力装置１０８は、例えば、キーボード、タッチパネル、マウス等のポインティングデバイス装置、または音声入力装置等によって実現される。
【００３０】
上述の通信制御部１０４、判定部１０５、対応付け部１０６およびスイッチ制御部１０７は、例えば、ＣＰＵ（Ｃｅｎｔｒａｌ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で実現される。
【００３１】
＜電気機器の構成＞
図３は、本実施の形態の電気機器２００の構成の一例を示すブロック図である。図３を参照しながら、本実施の形態の電気機器２００のブロック構成について説明する。
【００３２】
図３に示すように、電気機器２００は、記憶部２０１と、通信部２０２と、制御部２０３と、を備えている。
【００３３】
記憶部２０１は、電気機器２００に対して予め割り当てられた機器ＩＤを記憶している。機器ＩＤは、例えば、ＭＡＣ（Ｍｅｄｉａ  Ａｃｃｅｓｓ  Ｃｏｎｔｒｏｌ）アドレスやＩＰ（Ｉｎｔｅｒｎｅｔ  Ｐｒｏｔｏｃｏｌ）アドレス等である。また、記憶部２０１は、機器名称等の機器情報を記憶している。機器名称等の機器情報は、例えば電気機器２００のユーザによって入力され、記憶部２０１に格納される。記憶部２０１は、例えば、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等の記憶装置によって実現される。
【００３４】
通信部２０２は、制御サーバ装置１００との間での通信を実行する。具体的には、通信部２０２は、制御サーバ装置１００から上述した機器情報要求指令を受信して制御部２０３に渡す。そして、通信部２０２は、この機器情報要求指令に応じて制御部２０３が記憶部２０１から読み出した機器情報を、制御サーバ装置１００に送信する。また、通信部２０２は、制御サーバ装置１００から上述した状態遷移指令を受信して制御部２０３に渡す。
【００３５】
制御部２０３は、電気機器２００の各部の動作を制御する装置である。本実施の形態では、制御部２０３は、特に、制御サーバ装置１００からの機器情報要求指令に応じて記憶部２０１から機器情報を読み出し、この機器情報を通信部２０２から制御サーバ装置１００に送信させる機能を持つ。また、制御部２０３は、制御サーバ装置１００からの状態遷移指令に応じて、電気機器２００を特定の状態に遷移させる機能を持つ。制御部２０３は、例えば、ＣＰＵおよびＡＳＩＣ等で実現される。
【００３６】
＜給電タップの構成＞
図４は、本実施の形態の給電タップ３００の外観図である。図５は、本実施の形態の給電タップ３００の機能的構成の一例を示すブロック図である。図４および５を参照しながら、本実施の形態の給電タップ３００の構成について説明する。
【００３７】
図４に示すように、給電タップ３００は、タップ本体３１０と、商用電源のコンセントに差し込まれる電源プラグ３１１と、を備えている。電源プラグ３１１は、コード３１２を介してタップ本体３１０に接続されている。
【００３８】
タップ本体３１０は、コンセント口３０１ａ〜３０１ｄ（以下、これらのいずれかを示す場合および総称する場合、単に、コンセント口３０１という）を備えている。また、タップ本体３１０は、コンセント口３０１ａ〜３０１ｄそれぞれに対応して、ユーザによって押下操作される操作ボタン３０２ａ〜３０２ｄ（以下、これらのいずれかを示す場合および総称する場合、単に、操作ボタン３０２という）を備えている。
【００３９】
なお、図４に示すように、タップ本体３１０は、４つのコンセント口３０１ａ〜３０１ｄを備えるものとしているが、これに限定されるものではなく、コンセント口３０１の数は任意であってよい。また、図４に示すように、タップ本体３１０は、４つのコンセント口３０１ａ〜３０１ｄに対応して、４つの操作ボタン３０２ａ〜３０２ｄを備えるものとしているが、これに限定されるものではない。すなわち、操作ボタン３０２の数は、コンセント口３０１の数に対応していればよい。
【００４０】
コンセント口３０１は、電気機器２００の電源プラグ２１０が差し込まれることによって、電気機器２００へ電源を供給する。
【００４１】
操作ボタン３０２は、後述するように、制御サーバ装置１００からの制御信号によって通電可能な状態となったコンセント口３０１に対して、このコンセント口３０１に接続された電気機器２００への給電と給電遮断とを切り替えるためのボタンである。ユーザは、通電可能な状態となったコンセント口３０１に対応する操作ボタン３０２を押下操作することによって、このコンセント口３０１に接続された電気機器２００に対する給電と給電遮断とを切り替えることができる。
【００４２】
また、操作ボタン３０２は、対応するコンセント口３０１の状態をユーザに報知するための表示部を備える構成であることが望ましい。例えば、操作ボタン３０２は、表示部としてＬＥＤ等を内蔵し、対応するコンセント口３０１の状態に応じてＬＥＤの発光状態を変化させることにより、その状態をユーザに認識させることができる。
【００４３】
具体的には、例えば、コンセント口３０１が、後述するように、制御サーバ装置１００からの制御信号によって通電不可の状態となっている場合、操作ボタン３０２の表示部は、消灯する。また、コンセント口３０１が制御サーバ装置１００からの制御信号によって通電可能な状態となっているが、実際には通電されていない場合、操作ボタン３０２の表示部は、橙色に発光する。そして、コンセント口３０１が通電可能な状態であり、コンセント口３０１に電気機器２００の電源プラグ２１０が接続され、かつ、実際に電気機器２００に通電されている場合、操作ボタン３０２の表示部は、緑色に発光する。これによって、ユーザは、コンセント口３０１の状態を容易に認識することができる。なお、コンセント口３０１の通電状態を上記のような方法でユーザに報知することに限定されるものではなく、例えば、操作ボタン３０２の消灯および点灯のみではなく、点滅状態を動作に加えて、コンセント口３０１の通電状態を報知してもよい。
【００４４】
図５は、給電タップ３００内部のブロック構成を示している。図５に示すように、給電タップ３００は、上述したコンセント口３０１ａ〜３０１ｄに対応して、第１スイッチ３２０ａ〜３２０ｄ（以下、これらのいずれかを示す場合および総称する場合、単に、第１スイッチ３２０という）と、第２スイッチ３２１ａ〜３２１ｄ（以下、これらのいずれかを示す場合および総称する場合、単に、第２スイッチ３２１という）と、電力計３２２ａ〜３２２ｄ（以下、これらのいずれかを示す場合および総称する場合、単に、電力計３２２という）と、を備えている。また、給電タップ３００は、制御部３３０と、通信部３４０と、を備えている。
【００４５】
第１スイッチ３２０は、制御サーバ装置１００からの制御信号に基づいて、後述する制御部３３０のスイッチ駆動部３３３によりＯＮ／ＯＦＦ動作されるスイッチング装置である。第１スイッチ３２０は、上述したように、対応するコンセント口３０１を通電可能な状態とする場合、制御サーバ装置１００からの制御信号に応じてＯＮ状態（短絡状態）とされる。また、第１スイッチ３２０は、対応するコンセント口３０１を通電不可の状態とする場合、制御サーバ装置１００からの制御信号に応じてＯＦＦ状態（開放状態）とされる。
【００４６】
第２スイッチ３２１は、ユーザによる操作ボタン３０２の押下操作に応じてＯＮ／ＯＦＦ動作させるスイッチング装置である。コンセント口３０１は、対応する第１スイッチ３２０と第２スイッチ３２１の双方がＯＮ状態である場合に、当該コンセント口３０１に接続された電気機器２００に通電する。第１スイッチ３２０がＯＮ状態であっても、第２スイッチ３２１がＯＦＦ状態であれば、対応するコンセント口３０１から電気機器２００への電力供給は遮断される。
【００４７】
電力計３２２は、対応するコンセント口３０１に電気機器２００が接続され、通電状態にある場合に、コンセント口３０１から電気機器２００に供給される電力を計測する。
【００４８】
制御部３３０は、給電タップ３００の各部の動作を制御する装置である。制御部３３０は、例えば、ＣＰＵ、ＡＳＩＣ等で実現される。制御部３３０は、電力通知部３３１と、スイッチ駆動部３３３と、を備えている。
【００４９】
電力通知部３３１は、予め定められた時間間隔で定期的に、あるいは制御サーバ装置１００からの要求に応じて、コンセント口３０１ごとに電力計３２２によって計測された電力を示す電力情報を、タップＩＤおよび各コンセント口３０１のコンセント情報とともに、通信部３４０から制御サーバ装置１００に送信させる。制御サーバ装置１００では、給電タップ３００から電力情報とともに送信されたタップＩＤをもとに、電力情報がどの給電タップ３００からのものかを特定でき、電力情報とともに送信されたコンセント情報をもとに、それぞれの電力情報がどのコンセント口３０１で計測されたものかを特定できる。
【００５０】
スイッチ駆動部３３３は、制御サーバ装置１００から受信した制御信号に基づいて、第１スイッチ３２０のＯＮ／ＯＦＦ動作を行う。また、スイッチ駆動部３３３は、制御信号に関わらず、電力計３２２によって異常な電力値が検出された場合、その電力計３２２に対応する第１スイッチ３２０をＯＦＦ動作させるものとしてもよい。
【００５１】
通信部３４０は、制御サーバ装置１００との間での通信を実行する。具体的には、通信部３４０は、電力通知部３３１による制御のもとで、上述したコンセント口３０１ごとの電力情報を、タップＩＤおよび各コンセント口３０１のコンセント情報とともに、制御サーバ装置１００に送信する。また、通信部３４０は、制御サーバ装置１００から、第１スイッチ３２０のＯＮ／ＯＦＦ動作を制御するための制御信号を受信する。
【００５２】
＜機器登録システムの動作＞
図６−１は、本実施の形態の制御サーバ装置１００による機器情報登録動作の一例を示すフローチャートであり、図６−２は、本実施の形態の制御サーバ装置１００による電気機器２００と給電タップ３００のコンセント口３０１との対応付け動作の一例を示すフローチャートである。図７は、本実施の形態の電気機器２００の動作の一例を示すフローチャートである。図８は、本実施の形態の制御サーバ装置１００の記憶部１０１に記憶された機器登録テーブルＴａの構成の一例を示す図である。
【００５３】
まず、図６−１および８を参照しながら、主に制御サーバ装置１００の動作に着目した機器情報登録動作について説明する。なお、本実施の形態では、制御サーバ装置１００に対して機器情報を登録すべき各電気機器２００の機器ＩＤ（ＭＡＣアドレス等）が、制御サーバ装置１００の機器登録テーブルＴａに予め登録されているものとする。
【００５４】
＜＜ステップＳ１０１＞＞
制御サーバ装置１００の第１通信部１０２は、通信制御部１０４による制御のもとで、例えば、機器登録テーブルＴａに登録されているＭＡＣアドレス等の機器ＩＤを付加した機器情報要求指令を、機器登録システム１内のすべての電気機器２００に対してブロードキャストする。機器登録システム１内の各電気機器２００は、制御サーバ装置１００からの機器情報要求指令を受信し、受信した機器情報要求指令に付加されているＭＡＣアドレス等の機器ＩＤが自機を示すものである場合、受信した機器情報要求指令に対する応答として、記憶部２０１に記憶されている機器名称等の機器情報を、制御サーバ装置１００に送信する。
【００５５】
＜＜ステップＳ１０２＞＞
通信制御部１０４は、第１通信部１０２がいずれかの電気機器２００から機器情報を受信したか否かを判定する。そして、第１通信部１０２がいずれかの電気機器２００から機器情報を受信した場合（ステップＳ１０２：Ｙｅｓ）、通信制御部１０４は、第１通信部１０２が受信した機器情報を対応付け部１０６に渡してステップＳ１０３に進み、第１通信部１０２が機器情報を受信していなければ（ステップＳ１０２：Ｎｏ）、処理を終了する。
【００５６】
＜＜ステップＳ１０３＞＞
対応付け部１０６は、図８に示す機器登録テーブルＴａにおいて、ステップＳ１０１において機器情報要求指令に付加された機器ＩＤに対応するレコードに、第１通信部１０２が電気機器２００から受信した機器情報を登録する。例えば、図８に示す機器登録テーブルＴａのように、機器ＩＤ「ＡＢＣＤ」を付加した機器情報要求指令に対する応答として機器情報「ＰＣ」が受信された場合、対応付け部１０６は、機器ＩＤ「ＡＢＣＤ」に対応するレコードに機器情報「ＰＣ」を登録する。
【００５７】
次に、図６−２および８を参照しながら、主に制御サーバ装置１００の動作に着目した電気機器２００と給電タップ３００のコンセント口３０１との対応付け動作について説明する。なお、本実施の形態では、図６−２のフローチャートで示す処理とは別に、制御サーバ装置１００が機器登録システム１内の各給電タップ３００から、予め定められた時間間隔で定期的に、タップＩＤと、コンセント口３０１ごとの電力情報と、それぞれの電力情報に対応するコンセント口３０１のコンセント情報とを受信しているものとする。
【００５８】
＜＜ステップＳ２０１＞＞
制御サーバ装置１００の第１通信部１０２は、通信制御部１０４による制御のもとで、例えば、機器登録テーブルＴａに登録されているＭＡＣアドレス等の機器ＩＤを付加した状態遷移指令を、機器登録システム１内のすべての電気機器２００に対してブロードキャストする。機器登録システム１内の各電気機器２００は、制御サーバ装置１００からの状態遷移指令を受信し、受信した状態遷移指令に付加されているＭＡＣアドレス等の機器ＩＤが自機を示すものである場合、受信した状態遷移指令に従って、特定の状態に遷移する。電気機器２００が特定の状態に遷移すると、この電気機器２００が接続された給電タップ３００のタップ口３０１からこの電気機器２００に対して供給される電力が変化する。
【００５９】
＜＜ステップＳ２０２＞＞
判定部１０５は、ステップＳ２０１の状態遷移指令のブロードキャストから所定時間の間に、電気機器２００が特定の状態に遷移した際の電力変化を示す電力情報を、第２通信部１０３がいずれかの給電タップ３００から受信したか否かを判定する。すなわち、判定部１０５は、ステップＳ２０１で第１通信部１０２が状態遷移指令をブロードキャストしてから所定時間の間に第２通信部１０３が機器登録システム１内の各給電タップ３００から受信したコンセント口３０１ごとの電力情報を参照し、これら電力情報に、ステップＳ２０１でブロードキャストした状態遷移指令に対応する電力変化のパターンを示す電力情報が含まれているか否かを判定する。そして、このような電力変化のパターンを示す電力情報が含まれている場合は（ステップＳ２０２：Ｙｅｓ）ステップＳ２０３に進み、含まれていない場合は（ステップＳ２０２：Ｎｏ）処理を終了する。
【００６０】
＜＜ステップＳ２０３＞＞
判定部１０５は、第２通信部１０３がいずれかの給電タップ３００から受信した、電気機器２００が特定の状態に遷移した際の電力変化を示す電力情報が１つのみであるか否かを判定する。そして、このような電力情報が１つのみ受信されている場合は（ステップＳ２０３：Ｙｅｓ）、その電力情報に対応するコンセント口３０１のコンセント情報と、その電力情報とともに給電タップ３００から受信したタップＩＤとを対応付け部１０６に渡してステップＳ２０４に進み、このような電力情報が複数受信されている場合は（ステップＳ２０３：Ｎｏ）、処理を終了する。
【００６１】
＜＜ステップＳ２０４＞＞
対応付け部１０６は、図８に示す機器登録テーブルＴａにおいて、ステップＳ２０１において状態遷移指令に付加された機器ＩＤに対応するレコードに、判定部１０５から渡されたタップＩＤおよびコンセント情報を登録する。例えば、図８に示す機器登録テーブルＴａのように、機器ＩＤ「ＡＢＣＤ」を付加した状態遷移指令がブロードキャストされた際に、判定部１０５からタップＩＤ「ＡＡ」およびコンセント情報「２」が渡されると、対応付け部１０６は、機器ＩＤ「ＡＢＣＤ」に対応するレコードに、タップＩＤ「ＡＡ」およびコンセント情報「２」を登録する。
【００６２】
本実施の形態の制御サーバ装置１００は、機器登録システム１に含まれるすべての電気機器２００を対象として、当該電気機器２００が接続された給電タップ３００およびコンセント口３０１が一意にとくていされるまで以上の動作を繰り返すことによって、すべての電気機器２００の機器登録テーブルＴａへの自動登録を行う。制御サーバ装置１００は、以上の登録動作を行った後は、機器登録テーブルＴａを参照することによって、どの給電タップ３００のどのコンセント口３０１に、どのような電気機器２００が接続されているのかを把握することができる。例えば、図８に示す機器登録テーブルＴａの最上段のレコードから、機器ＩＤ「ＡＢＣＤ」によって識別される電気機器２００（機器情報「ＰＣ」）が、タップＩＤ「ＡＡ」で識別される給電タップ３００のコンセント情報「２」で識別されるコンセント口３０１に接続されていることが分かる。また、図８に示す機器登録テーブルＴａの２番目のレコードから、機器ＩＤ「ＢＣＤＥ」によって識別される電気機器２００（機器情報「ＭＦＰ」）が、タップＩＤ「ＢＣ」で識別される給電タップ３００のコンセント情報「３」で識別されるコンセント口３０１に接続されていることが分かる。また、図８に示す機器登録テーブルＴａの３番目のレコードから、機器ＩＤ「ＣＤＥＦ」によって識別される電気機器２００（機器情報「プロジェクタ」）が、タップＩＤ「ＥＦ」で識別される給電タップ３００のコンセント情報「１」で識別されるコンセント口３０１に接続されていることが分かる。
【００６３】
なお、制御サーバ装置１００は、すべての電気機器２００の機器登録テーブルＴａへの自動登録が終了した後も、図６−２に示す一連の処理を定期的に実行し、電気機器２００と給電タップ３００およびコンセント口３０１との対応関係が機器登録テーブルＴａに記憶されているものと異なる場合は、機器登録テーブルＴａを更新することが望ましい。これによって、電気機器２００が他の給電タップ３００、または他のコンセント口３０１に差し換えられても、電気機器２００がどの給電タップ３００やコンセント口３０１に新たに接続されたかを自動的に判定して、機器登録テーブルＴａを最新の情報に維持することができる。
【００６４】
次に、図７を参照しながら、主に電気機器２００の動作に着目した動作について説明する。
【００６５】
＜＜ステップＳ３０１＞＞
電気機器２００の制御部２０３は、通信部２０２が制御サーバ装置１００から機器情報要求指令を受信したか否かを判定する（ステップＳ３０１）。そして、機器情報要求指令を受信した場合は（ステップＳ３０１：Ｙｅｓ）ステップＳ３０２に進み、そうでない場合は（ステップＳ３０１：Ｎｏ）ステップＳ３０４に進む。
【００６６】
＜＜ステップＳ３０２＞＞
制御部２０３は、制御サーバ装置１００から受信した機器情報要求指令に付加された機器ＩＤ（ＭＡＣアドレス等）が、自機を示すものであるか否かを判定する。そして、機器ＩＤが自機を示すものであれば（ステップＳ３０２：Ｙｅｓ）ステップＳ３０３に進み、そうでない場合は（ステップＳ３０２：Ｎｏ）処理を終了する。
【００６７】
＜＜ステップＳ３０３＞＞
制御部２０３は、記憶部２０１から機器名称等の機器情報を読み出し、通信部２０２を介して制御サーバ装置１００に送信し、処理を終了する。
【００６８】
＜＜ステップＳ３０４＞＞
制御部２０３は、通信部２０２が制御サーバ装置１００から状態遷移指令を受信したか否かを判定する（ステップＳ３０４）。そして、状態遷移指令を受信した場合は（ステップＳ３０４：Ｙｅｓ）ステップＳ３０５に進み、そうでない場合は（ステップＳ３０４：Ｎｏ）ステップＳ３０１に戻る。
【００６９】
＜＜ステップＳ３０５＞＞
制御部２０３は、制御サーバ装置１００から受信した状態遷移指令に付加された機器ＩＤ（ＭＡＣアドレス等）が、自機を示すものであるか否かを判定する。そして、機器ＩＤが自機を示すものであれば（ステップＳ３０５：Ｙｅｓ）ステップＳ３０６に進み、そうでない場合は（ステップＳ３０５：Ｎｏ）処理を終了する。
【００７０】
＜＜ステップＳ３０６＞＞
制御部２０３は、制御サーバ装置１００から受信した状態遷移指令に従って、電気機器２００を特定の電力状態に遷移させる。そして、処理を終了する。
【００７１】
以上説明したように、本実施の形態の制御サーバ装置１００は、電気機器２００を特定の状態に遷移させるとともに、給電タップ３００からコンセント口３０１ごとの電力情報を受信し、電気機器２００を特定の状態に遷移させた際の電力変化を示す電力情報が１つのみ含まれている場合に、状態遷移させた電気機器２００が、その電力情報に対応する給電タップ３００のコンセント口３０１に接続されていると判定する。そして、その電気機器２００の機器ＩＤに、給電タップ３００を識別するタップＩＤおよびコンセント口３０１を識別するコンセント情報を対応付けて、機器登録テーブルＴａに登録する。また、本実施の形態の制御サーバ装置１００は、電気機器２００から機器名称等の機器情報を受信し、その電気機器２００の機器ＩＤに、電気機器２００から機器名称等の機器情報対応付けて、機器登録テーブルＴａに登録する。このように、本実施の形態の制御サーバ装置１００によれば、給電タップ３００およびそのコンセント口３０１と、コンセント口３０１に接続された電気機器２００との対応関係を自動で登録することができる。
【００７２】
また、本実施の形態の制御サーバ装置１００は、予め機器登録テーブルＴａに登録されているＭＡＣアドレス等の機器ＩＤを付加して機器情報要求指令や状態遷移指令を電気機器２００に送信する。これにより、電気機器２００では機器ＩＤを鍵として制御サーバ装置１００からの指令が自機に対する指令かどうかを判断することができ、効率的な制御が可能となる。また、本実施形態の制御サーバ装置１００は、電気機器２００と給電タップ３００のコンセント口３０１との対応付け動作を定期的に実行することにより、電気機器２００が他の給電タップ３００、または他のコンセント口３０１に差し換えられても、電気機器２００がどの給電タップ３００やコンセント口３０１に新たに接続されたかを自動的に判定して、機器登録テーブルＴａを最新の情報に維持することができる。
【００７３】
なお、以上説明した例では、電気機器２００のＭＡＣアドレス等の機器ＩＤが機器登録テーブルＴａに予め登録されているものとしているが、制御サーバ装置１００が電気機器２００に対して機器情報要求指令や状態遷移指令を送信する前に、電気機器２００から取得するようにしてもよい。例えば、電気機器２００が制御サーバ装置１００と初めて通信する際に、記憶部２０１に記憶されているＭＡＣアドレス等を機器ＩＤとして、制御サーバ装置１００に送信するように構成することができる。
【００７４】
また、制御サーバ装置１００が電気機器２００に送信する状態遷移指令は、制御サーバ装置１００と電気機器２００との間で共有されたコード情報であってもよい。この場合、例えば電気機器２００の記憶部２０１に、当該電気機器２００を特定の状態に遷移させる状態遷移指令を示すコード情報を予め記憶しておく。そして、例えば、電気機器２００が制御サーバ装置１００と初めて通信する際に、記憶部２０１に記憶されているコード情報を、制御サーバ装置１００に送信する。制御サーバ装置１００では、電気機器２００から受信したコード情報を、電気機器２００のＭＡＣアドレス等の機器ＩＤと対応付けて記憶部１０１に格納しておく。そして、制御サーバ装置１００は、この電気機器２００に対して状態遷移指令を送信する場合、この電気機器２００の機器ＩＤと対応付けて格納されたコード情報を記憶部１０１から読み出して、状態遷移指令としてコード情報を送信する。これにより、制御サーバ装置１００から電気機器２００に対して状態遷移指令を送信する際の負荷を低減し、効率よく通信を行うことができる。
【００７５】
（ハードウェア構成）
上述の実施の形態の制御サーバ装置１００（機器登録装置）のハードウェア構成について説明する。上述の実施の形態の制御サーバ装置１００は、ＣＰＵ等の制御装置と、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等の記憶装置と、ＨＤＤまたはＳＳＤ等の外部記憶装置と、ディスプレイ等の表示装置と、マウスおよびキーボード等の入力装置と、ＮＩＣ（Ｎｅｔｗｏｒｋ  Ｉｎｔｅｒｆａｃｅ  Ｃａｒｄ）等の通信装置と、を備えた通常のコンピュータシステムとしてのハードウェア構成で実現できる。制御サーバ装置１００は、例えばＣＰＵがＲＡＭをワークエリアとして利用して所定のプログラムを実行することにより、上述した機能的な各部を実現することができる。
【００７６】
上述の実施の形態の制御サーバ装置１００で実行されるプログラムは、インストール可能な形式または実行可能な形式のファイルでＣＤ−ＲＯＭ、ＣＤ−Ｒ、メモリカード、ＤＶＤ（Ｄｉｇｉｔａｌ  Ｖｅｒｓａｔｉｌｅ  Ｄｉｓｋ）またはフレキシブルディスク（ＦＤ）等の読み取り可能な記憶媒体に記憶されて提供される。
【００７７】
また、上述の実施の形態の制御サーバ装置１００で実行されるプログラムは、インターネット等のネットワークに接続されたコンピュータ上に格納され、ネットワーク経由でダウンロードされることにより提供されるようにしてもよい。また、上述の実施の形態の制御サーバ装置１００で実行されるプログラムは、インターネット等のネットワーク経由で提供または配布されるようにしてもよい。また、上述の実施の形態の制御サーバ装置１００で実行されるプログラムは、ＲＯＭ等に予め組み込んで提供されるようにしてもよい。
【００７８】
上述の実施の形態の制御サーバ装置１００で実行されるプログラムは、上述した各部（第１通信部１０２、第２通信部１０３、通信制御部１０４、判定部１０５、対応付け部１０６およびスイッチ制御部１０７）をコンピュータ上で実現させるためのモジュール構成となっている。実際のハードウェアとしては、ＣＰＵ等の制御装置が外部記憶装置からプログラムを記憶装置上に読み出して実行することによって、上記各処理部がコンピュータ上で実現されるようになっている。
【００７９】
また、上述の実施の形態の電気機器２００および給電タップ３００は、それぞれＣＰＵ等の制御装置を備え、この制御装置で所定のプログラムを実行することにより、上述した各部を実現することができる。上述の実施の形態の電気機器２００および給電タップ３００で実行されるプログラムは、例えばＲＯＭ等に予め組み込まれて提供される。電気機器２００や給電タップ３００で実行されるプログラムは、上述した各処理部（制御部２０３、電力通知部３３１、スイッチ駆動部３３３）を含むモジュール構成となっている。実際のハードウェアとしては、ＣＰＵ等の制御装置が上記ＲＯＭからプログラムを読み出して実行することにより上記各処理部が記憶装置上にロードされ生成されるようになっている。
【符号の説明】
【００８０】
１  機器登録システム
１００  制御サーバ装置
１０１  記憶部
１０２  第１通信部
１０３  第２通信部
１０４  通信制御部
１０５  判定部
１０６  対応付け部
２００  電気機器
２０１  記憶部
２０２  通信部
２０３  制御部
３００  給電タップ
３０１、３０１ａ〜３０１ｄ  コンセント口
３２２、３２２ａ〜３２２ｄ  電力計
３３０  制御部
３３１  電力通知部
３４０  通信部
Ｔａ  機器登録テーブル
【先行技術文献】
【特許文献】
【００８１】
【特許文献１】特開２０１１−１５５４４５号公報
【図１】
2015029248.tif 000003
【図２】
2015029248.tif 000004
【図３】
2015029248.tif 000005
【図４】
2015029248.tif 000006
【図５】
2015029248.tif 000007
【図６−１】
2015029248.tif 000008
【図６−２】
2015029248.tif 000009
【図７】
2015029248.tif 000010
【図８】
2015029248.tif 000011